(57)【要約】      （修正有）【課題】通信相手の通信方式を確認することなく、単に接続するだけで通信を開始することのできる通信統合システムを提供する。【解決手段】通信統合システム１００のネットワーク通信制御部は、接続対象の第１の通信機器に対して第１の通信方式によって仮通信路を確立して接続要求をリクエストし、この通信機器から所定時間内に応答がない場合、仮通信路を切断するとともに、次の順番の接続対象の第２の通信機器に対して第２の通信方式によって仮通信路を確立して接続要求をリクエストし、この通信機器から所定時間内に応答がない場合、仮通信路を切断する制御を繰り返し実行する。【選択図】図１
2015103996.tif 000002
【特許請求の範囲】
【請求項１】
異なる通信方式による通信手段を有する複数の通信機器をネットワークに接続する通信統合システムであって、
予め設定された接続順番に従って、
接続対象の第１の通信機器に対して第１の通信方式によって仮通信路を確立して接続要求をリクエストし、当該通信機器から所定時間内に応答がない場合、前記仮通信路を切断するとともに、
次の順番の接続対象の第２の通信機器に対して第２の通信方式によって仮通信路を確立して接続要求をリクエストし、当該通信機器から所定時間内に応答がない場合、前記仮通信路を切断する制御を繰り返し実行する制御部を備えることを特徴とする通信統合システム。
【請求項２】
前記制御部は、接続対象の通信機器から前記接続要求リクエストの応答を受信した場合、当該通信機器との間、及び当該通信機器と前記ネットワーク間の通信経路を確立することを特徴とする請求項１に記載の通信統合システム。
【請求項３】
前記接続要求リクエストの応答は、接続認証の応答を含むことを特徴とする請求項１又は請求項２に記載の通信統合システム。
【請求項４】
前記複数の通信機器は、Ｗ−ＬＡＮ、Bluetooth、ZigBee、ＮＦＣ、ＰＬＣ、又はＬＡＮのうちいずれかの通信方式による通信手段を有し、
前記制御部は、前記複数の通信機器を前記ネットワークに接続する順番を予め設定することを特徴とする請求項１又は請求項２に記載の通信統合システム。
【発明の詳細な説明】
【技術分野】
【０００１】
本発明は、通信統合システムに関する。
【背景技術】
【０００２】
無線通信分野では、近年、広いサービスエリアをもつ携帯電話網が急速に普及する一方で、都市部では無線ＬＡＮ等の局所的高速ネットワークを利用した情報サービスも開始され、様々な無線通信システムが共存する時代になってきた。
【０００３】
携帯電話端末は、通信可能なエリアが広く、かつ、ユーザがセル間を高速に移動中にも通信を継続できる利点がある反面、ビットレートが９．６〜３８４ｋｂｉｔ／秒と低く、通信コストも高い。一方、無線ＬＡＮによる情報サービスは、現在のところ利用可能なエリアが、例えば、都市部のホットスポットと呼ばれるサービスエリアに限定されている。また、無線ＬＡＮは、携帯電話網のように高速移動中のユーザには通信サービスを提供できないが、携帯電話に比べて、高速のビットレート（例えば、２２〜５４Ｍｂｐｓ）を有し、通信コストも圧倒的に安く、通信料が無料のサービスエリアも多数存在している。
【０００４】
このため、１つの無線端末で上記両方のサービスを受けられるように、複数の通信規格に対応したマルチモード端末の需要が高まってきている。
【０００５】
特許文献１には、複数の通信モードに共用される１つの無線部を備え、通信モードを高速に切替え可能なマルチモード無線通信装置が記載されている。特許文献１に記載のマルチモード無線通信装置は、通信モードを切替え可能な無線部を周期的に第１通信モードで動作させ、所定時間後に第２通信モードに切替える制御部とからなり、上記制御部が、上記無線部が第１通信モードで動作中に受信した信号から所定イベントの発生が検出された時、上記無線部の第２通信モードへの切替えを抑制して第１通信モードの通信を継続するか否かを判定する判定手段を備える。
【０００６】
特許文献２には、所定の通信方式で利用する通信パラメータを他の通信方式により共有する通信装置が記載されている。特許文献２に記載の通信装置は、第１の通信方式及び第２の通信方式で無線通信する通信装置であって、相手装置に通信パラメータを送信する際に、相手装置がＰ２Ｐモードを利用できない場合には、リーダライタモードを選択して通信パラメータを所定のメモリ領域に送信する。これにより、メモリ領域を指定することなくデータを送信するモードを利用できない相手装置に対しても、ハンドオーバに必要な通信パラメータを送信しようとする。
【先行技術文献】
【特許文献】
【０００７】
【特許文献１】特開２０１２−２９３１４号公報
【特許文献２】特開２０１３−１５７７３６号公報
【発明の概要】
【発明が解決しようとする課題】
【０００８】
しかしながら、このような従来の通信システムにあっては、通信相手がどのような通信方式を採用しているかを確認して、その専用のアダプタを用意する必要があった。例えば、Ｗ−ＬＡＮ（Wireless LAN：無線ＬＡＮ）を使うには専用の設定とそのためのアダプタが必要であり、Bluetooth（登録商標）を使うにも専用の設定とそのためのアダプタが必要であった。このため、通信相手がどのような通信方式を採用しているかを確認して、その専用のアダプタを用意する必要があった。また、従来技術では、接続する機器の通信手段（Ｗ−ＬＡＮ／Bluetooth／ZigBee（登録商標）／ＰＬＣなど）を意識して、個々に接続や設定を行わなければならないという課題があった。
【０００９】
本発明の目的は、通信相手の通信方式を確認することなく、単に接続するだけで通信を開始することのできる通信統合システムを提供することである。
【課題を解決するための手段】
【００１０】
前記課題を解決するため、本発明による通信統合システムは、異なる通信方式による通信手段を有する複数の通信機器をネットワークに接続する通信統合システムであって、予め設定された接続順番に従って、接続対象の第１の通信機器に対して第１の通信方式によって仮通信路を確立して接続要求をリクエストし、当該通信機器から所定時間内に応答がない場合、前記仮通信路を切断するとともに、次の順番の接続対象の第２の通信機器に対して第２の通信方式によって仮通信路を確立して接続要求をリクエストし、当該通信機器から所定時間内に応答がない場合、前記仮通信路を切断する制御を繰り返し実行する制御部を備えることを特徴とする。
【００１１】
また、前記制御部は、接続対象の通信機器から前記接続要求リクエストの応答を受信した場合、当該通信機器との間、及び当該通信機器と前記ネットワーク間の通信経路を確立することが望ましい。
【００１２】
また、前記接続要求リクエストの応答は、接続認証の応答を含むことが望ましい。
【００１３】
また、前記複数の通信機器は、Ｗ−ＬＡＮ、Bluetooth、ZigBee、ＮＦＣ、ＰＬＣ、又はＬＡＮのうちいずれかの通信方式による通信手段を有し、前記制御部は、前記複数の通信機器を前記ネットワークに接続する順番を予め設定することが望ましい。
【発明の効果】
【００１４】
本発明によれば、通信相手の通信方式を確認することなく、単に接続するだけで通信を開始することのできる通信統合システムを提供することができる。
【図面の簡単な説明】
【００１５】
【図１】本発明の実施形態に係る通信統合システムを備える通信システムの構成を示す図である。
【図２】上記実施形態に係る通信統合システムの詳細な構成を示すブロック図である。
【図３】上記実施形態に係る通信統合システムのＣＰＵの機能を示すブロック図である。
【図４】上記実施形態に係る通信統合システムのネットワーク通信制御部の通信統合制御を示すフローチャートである。
【図５】上記実施形態に係る通信統合システムと各通信機器と共通サーバ間の通信統合制御を示す制御シーケンス図である。
【図６】上記実施形態に係る通信統合システムと各通信機器と共通サーバ間の通信統合制御を示す制御シーケンス図である。
【図７】上記実施形態に係る通信統合システムと各通信機器間の通信統合制御を示す制御シーケンス図である。
【図８】上記実施形態に係る通信統合システムと各通信機器間の通信統合制御を示す制御シーケンス図である。
【発明を実施するための形態】
【００１６】
以下、本発明の実施形態について図面を参照して詳細に説明する。
（実施形態）
図１は、本発明の一実施形態に係る通信統合システムを備える通信システムの構成を示す図である。本実施形態の通信統合システムは、異なる通信方式による通信手段を有する複数の通信機器をネットワークに接続する通信統合システムに適用した例である。
【００１７】
図１に示すように、通信システム１は、共通サーバ１１、ネットワーク１２、ルータ１３、通信統合システム１００、通信路１４、Ｗ−ＬＡＮ２１、Bluetooth２２、ZigBee２３、ＮＦＣ（Near Field Communication：近距離無線通信）２４、電子機器２５、ＰＬＣ（Power Line Communication：電力線搬送通信）２６、及びＬＡＮ（Local Area Network）２７を備える。
【００１８】
共通サーバ１１は、例えばインターネットに接続された商用サーバ等である。
【００１９】
ネットワーク１２は、インターネットや専用ネットワークである。
【００２０】
ルータ１３は、無線又は有線によりネットワーク１２を介して通信統合システム１００と共通サーバ１１とを接続する。
【００２１】
通信路１４は、無線又は有線により通信統合システム１００と各装置２１〜２７とを接続する。接続は、例えばＵＳＢ（Universal Serial Bus）コネクタによる。
【００２２】
Ｗ−ＬＡＮ２１は、例えば、ＩＥＥＥ８０２．１１規格の「Ｗ−ＬＡＮ」、ＷＵＳＢ（Wireless USB）、ＵＷＢ（Ultra Wide Band）が挙げられる。また、無線通信の無線多重アクセス方式としてＴＤＭＡ（Time Division Multiple Access）／ＦＤＭＡ（Frequency Division Multiple Access）／ＣＤＭＡ（Code Division Multiple Access）のうち、のいずれかを用いることができる。
【００２３】
Bluetooth２２は、例えばＩＥＥＥ ８０２．１５．４規格に準拠する。数ｍから数十ｍ程度の距離の情報機器間で、電波を使い簡易な情報のやりとりを行うのに使用される。
【００２４】
ZigBee２３は、例えばＩＥＥＥ ８０２．１５．４規格に準拠する。転送距離が短く転送速度も低速である代わりに、安価で消費電力が少ないという特徴を有する。
【００２５】
ＮＦＣ２４は、非接触型カードとしてのＩＳＯ １４４４３近接型カード規格、スマートカード及びリーダのインターフェースを１つのデバイスに組み込むＲＦＩＤ（Radio Frequency IDentification：無線個体識別技術／非接触自動認証技術）規格の拡張である。携帯情報通信端末等のＮＦＣデバイスは、既存のＩＳＯ １４４４３のスマートカード及びリーダの両方と通信するＮＦＣ集積回路（ＩＣチップ）、及び既存の非接触型インフラストラクチャと互換性のある他のＮＦＣデバイスを含む。ＮＦＣのＩＣチップは、２つのループアンテナの磁気誘導を利用している。ＮＦＣ技術は、約１３．５６ＭＨｚの無線周波数ＩＳＭバンドで動作し、約２ＭＨｚの帯域幅を有する。ＮＦＣ及びＲＦＩＤ通信プロトコルは、個体識別情報（ＵＩＤ）番号を送信することによる、外部リクエストへの応答に基づく。また、ＮＦＣが有効な携帯情報通信端末はリーダ／ライタとして使用され、タグを検索及び起動するための電磁場を提供するために、比較的高い電力を使用する。
【００２６】
電子機器２５は、携帯電話又はスマートフォン（smart phone）等の携帯情報通信端末である。携帯情報通信端末は、標準の電話サービスに加え、ネットワーク１２に接続することで、メッセージング、オーディオ及びビデオストリーミング、ゲーム、コンテンツダウンロード、カレンダー等の多種多様なサービスを享受できる。
【００２７】
ＰＬＣ２６は、電力線を通信回線として利用する。ＰＬＣ２６は、日本国内では屋内利用に限られている。ＰＬＣ２６は、有線ＬＡＮや無線ＬＡＮと共にＬＡＮを構築する要素技術の一つとなっており、一般家庭向けの製品や、ビルや集合住宅内、工場内で回線を引き回す用途として利用されている。
【００２８】
ＬＡＮ２７は、イーサネット（登録商標）とインターネット（レイヤ４以下）プロトコルであるＴＣＰ／ＩＰを組み合わせるタイプ（イントラネット）が使用される。
【００２９】
なお、ＩｒＤＡ（Infrared Data Association：赤外線通信）を接続するものでもよい。
【００３０】
通信統合システム１００は、異なる通信方式による通信手段を有する複数の通信機器をネットワークに接続する。通信統合システム１００は、主制御部（main control）１０１、無線ゲートウェイ（gateway）部１０２、有線ゲートウェイ部１０３、及び機器ゲートウェイ部１０４から構成される。
【００３１】
主制御部１０１は、各ゲートウェイ部１０２〜１０４を統括制御し、各ゲートウェイ部１０２〜１０４によってルータ１３を経由したネットワーク１２と各装置２１〜２７間を接続する。なお、主制御部１０１の構成の詳細については後述する。
【００３２】
各ゲートウェイ部１０２〜１０４は、コンピュータネットワークをプロトコルの異なるネットワークと接続するためのネットワークノードである。各ゲートウェイ部１０２〜１０４の主な役割は、コンピュータネットワーク間のプロトコル変換である。各ゲートウェイ部１０２〜１０４は、あるプロトコル形式（例えばAppleTalk）のパケットを受信でき、転送する前に他のプロトコル（例えばＴＣＰ／ＩＰ）に変換する。
【００３３】
図２は、上記通信統合システム１００の詳細な構成を示すブロック図である。
【００３４】
図２に示すように、通信統合システム１００は、ＣＰＵ（Central Processing Unit）１１０と、ＲＯＭ（Read Only Memory）１２０と、接続リスト１３１を記憶するＲＡＭ（Random Access Memory）１３０と、制御プログラム１４１を格納するＨＤＤ（Hard disk drive）からなる記憶装置１４０と、各ゲートウェイ部１０２〜１０４の通信プロトコルなどの各種データを蓄積するデータベース１５０と、無線ネットワーク通信部１６０と、有線ネットワーク通信部１７０と、電子機器制御部１８０と、を備える。
【００３５】
ＣＰＵ１１０は、ＲＯＭ１２０又は記憶装置１４０（本実施形態では、記憶装置１４０）に記憶された制御プログラム１４１を読み出してＲＡＭ１３０に展開し、通信統合処理を実行する。なお、ＲＯＭ１２０の一部は、電気的に書換可能な不揮発性メモリであるＥＥＰＲＯＭ（Electrically Erasable Programmable Read-Only Memory）等から構成される。
【００３６】
上記ＣＰＵ１１０、ＲＯＭ１２０、ＲＡＭ１３０、記憶装置１４０、及びデータベース１５０は、図１の主制御部１０１に対応する。
【００３７】
無線ネットワーク通信部１６０は、Ｗ−ＬＡＮ２１を制御するＷ−ＬＡＮ制御部１６１、Bluetooth２２を制御するBluetooth制御部１６２、ZigBee２３を制御するZigBee制御部１６３、及びＮＦＣ２４を制御するＮＦＣ制御部１６４を備える。無線ネットワーク通信部１６０は、図１の無線ゲートウェイ部１０２に対応する。
【００３８】
有線ネットワーク通信部１７０は、ＰＬＣ２６を制御するＰＬＣ制御部１７１、及びＬＡＮ２７を制御するＬＡＮ制御部１７２を備える。有線ネットワーク通信部１７０は、図１の有線ゲートウェイ部１０３に対応する。
【００３９】
電子機器制御部１８０は、電子機器２５を制御する機器制御部１８１を備える。電子機器制御部１８０は、図１の機器ゲートウェイ部１０４に対応する。
【００４０】
図３は、上記ＣＰＵ１１０の機能を示すブロック図である。
【００４１】
図３に示すように、ＣＰＵ１１０は、ネットワーク通信制御部１１１と、接続種別入出力部１１２と、接続制御部１１３と、通信種別特定部１１４と、結果出力部１１５と、を備える。
【００４２】
ネットワーク通信制御部１１１は、通信統合システム全体を制御するとともに、通信統合プログラムを実行して、通信統合システムとして機能させる。
【００４３】
ネットワーク通信制御部１１１は、接続対象の第１の通信機器に対して第１の通信方式によって仮通信路を確立して接続要求をリクエストし、この通信機器から所定時間内に応答がない場合、仮通信路を切断するとともに、次の順番の接続対象の第２の通信機器に対して第２の通信方式によって仮通信路を確立して接続要求をリクエストし、この通信機器から所定時間内に応答がない場合、仮通信路を切断する制御を繰り返し実行する。
【００４４】
接続種別入出力部１１２は、Ｗ−ＬＡＮ，ＷＵＳＢ，Bluetooth，ZigBeeなどの無線接続種別、及びＵＳＢ，ＰＬＣなどの無線接続種別を接続制御部１１３との間で入出力する。例えば、接続種別入出力部１１２は、ネットワーク通信制御部１１１から、Bluetooth２２接続を指示された場合、Bluetooth接続情報を接続制御部１１３に出力する。
【００４５】
接続制御部１１３は、接続種別入出力部１１２からの接続種別と通信種別特定部１１４により特定された通信種別に基づいて、ネットワーク通信制御部１１１から指定された通信機器への接続制御を行う。
【００４６】
通信種別特定部１１４は、Ｗ−ＬＡＮ，ＷＵＳＢ，Bluetooth，ZigBee，ＵＳＢ，ＰＬＣなどの通信種別（通信プロトコルなど）を特定する。例えば、Bluetoothはその特性上、様々なデバイスでの通信に使用されるので、機器の種類ごとに策定されたプロトコルであるプロファイル（Profile）で標準化されている。通信種別特定部１１４は、通信しようとする機器同士が同じプロファイルを持つことができるように通信種別を特定する。
【００４７】
結果出力部１１５は、通信機器への接続制御結果の可否をネットワーク通信制御部１１１及び接続制御部１１３に出力する。
【００４８】
以下、上述のように構成された通信統合システムの動作について説明する。
【００４９】
図４は、ネットワーク通信制御部１１１の通信統合制御を示すフローチャートである。本プログラムは、ＣＰＵ１１０により所定タイミング毎に繰り返し実行される。
【００５０】
まず、ステップＳ１で、ネットワーク通信制御部１１１は、接続対象となる通信機器（通信手段）ｉに接続フラグが立っているか（接続フラグ「１」：接続中又は接続可、接続フラグ「０」：非接続）否かを判別する。通信機器（通信手段）ｉは、本実施形態では、Ｗ−ＬＡＮ２１、Bluetooth２２、ZigBee２３、ＮＦＣ２４、電子機器２５、ＰＬＣ２６、及びＬＡＮ２７の巡回番号である。例えば、Ｗ−ＬＡＮ２１の次には、Bluetooth２２が、その次にはZigBee２３、以下順に巡回し、ＬＡＮ２７まで確認すると、再びＷ−ＬＡＮ２１に戻る。上記通信機器のいずれかに接続フラグが立っていれば、該当通信機器（例えばBluetooth２２）が接続中又は接続可であることが分かる。
【００５１】
接続フラグが立っている場合（ステップＳ１：Ｙｅｓ）、ネットワーク通信制御部１１１は、該当通信機器による接続がされていると判断して本フローを終了する。
【００５２】
接続フラグが立っていない場合（ステップＳ１：Ｎｏ）、ネットワーク通信制御部１１１は、接続対象となる通信機器（通信手段）ｉに対して接続要求（リクエスト）を発行する。そして、ネットワーク通信制御部１１１は、タイムアウト判定用のタイマの計時を開始する。具体的には、ネットワーク通信制御部１１１は、接続種別入出力部１１２、接続制御部１１３、及び通信種別特定部１１４に対し、通信機器（通信手段）ｉをネットワーク１２に接続するための制御信号を出力する。これを受けて、接続制御部１１３は、接続種別入出力部１１２からの接続種別と通信種別特定部１１４により特定された通信種別に基づいて、ネットワーク通信制御部１１１から指定された通信機器への接続制御を行う。
【００５３】
ステップＳ３では、ネットワーク通信制御部１１１は、所定のタイムアウト時間を計時したか否かを判別する。
【００５４】
上記タイムアウト時間を計時した場合（ステップＳ３：Ｙｅｓ）、タイムアウトとしてステップＳ９に進む。
【００５５】
上記タイムアウト時間を計時していない場合（ステップＳ３：Ｎｏ）、ステップＳ４でネットワーク通信制御部１１１は、接続対象となる通信機器（通信手段）ｉから接続認証の応答（Ａｃｋ）を受信したか否かを判別する。
【００５６】
接続対象となる通信機器（通信手段）ｉから接続認証の応答（Ａｃｋ）を受信しない場合（ステップＳ４：Ｎｏ）、通信接続が不可と判断してステップＳ９に進む。なお、接続対象となる通信機器（通信手段）ｉから接続認証の否定的応答（Ｎａｃｋ）を受信した場合（図示省略）、何らかの通信機器（通信手段）ｉ側の都合で通信接続が不可と判断してステップＳ９に進むようにしてもよい。
【００５７】
接続対象となる通信機器（通信手段）ｉから接続認証の応答（Ａｃｋ）を受信した場合（ステップＳ４：Ｙｅｓ）、ステップＳ５でネットワーク通信制御部１１１は、接続対象となる通信機器（通信手段）ｉとの通信経路を確立する。具体的には、ネットワーク通信制御部１１１は、接続種別入出力部１１２、接続制御部１１３、及び通信種別特定部１１４に対し、該当する通信機器（通信手段）ｉをネットワーク１２に接続するための制御信号を出力する。接続制御部１１３は、接続種別入出力部１１２からの接続種別と通信種別特定部１１４により特定された通信種別に基づいて、該当する認証後の通信機器（通信手段）ｉの通信経路を確立する。
【００５８】
ステップＳ６では、ネットワーク通信制御部１１１は、通信経路が確立された通信機器（通信手段）ｉの接続フラグを立てる。
【００５９】
ステップＳ７では、ネットワーク通信制御部１１１は、通信経路が確立された通信機器（通信手段）ｉの接続が終了か否かを判定する。通信機器（通信手段）ｉの接続終了判定は、例えば、ネットワーク通信制御部１１１が、通信機器（通信手段）ｉからの通信終了リクエストを受信した場合、またネットワーク１２側から又はネットワーク通信制御部１１１自らが該当通信機器（通信手段）ｉに対して接続状態の確認リクエストを発行しそれにＡｃｋ応答がない場合、が挙げられる。
【００６０】
通信経路が確立された通信機器（通信手段）ｉの接続終了の場合（ステップＳ７：Ｙｅｓ）、ステップＳ８でネットワーク通信制御部１１１は、該当通信機器（通信手段）ｉの接続フラグを降ろして本フローを終了する。
【００６１】
通信経路が確立された通信機器（通信手段）ｉの接続終了ではない場合（ステップＳ７：Ｎｏ）、上記ステップＳ５に戻って該当通信機器（通信手段）ｉとの通信接続を継続する。
【００６２】
一方、上記ステップＳ３でタイムアウト時間を計時した場合（ステップＳ３：Ｙｅｓ）、又は上記ステップＳ４で接続対象となる通信機器（通信手段）ｉから接続認証の応答（Ａｃｋ）を受信しない場合（ステップＳ４：Ｎｏ）は、ステップＳ９で接続対象となる通信機器（通信手段）ｉを次の通信機器（通信手段）とするように、ｉをインクリメント（ｉ＝ｉ＋１）して本フローを終了する。
【００６３】
図５乃至図８は、通信統合システム１００と各通信機器又は共通サーバ（サーバ）１１間の通信統合制御を示す制御シーケンス図である。図５及び図６は、通信統合システム１００と各通信機器とが通信接続できる場合の例である。
【００６４】
各通信機器は、Ｗ−ＬＡＮ２１、Bluetooth２２、ZigBee２３、ＮＦＣ２４、電子機器２５、ＰＬＣ２６、ＬＡＮ２７を例に採る。
【００６５】
［任意の通信機器との間で通信経路が確立できる場合］
図５に示すように、通信統合システム１００は、接続対象となる任意の通信機器（通信手段）ｉとの間で仮通信路を確立することができる。
【００６６】
例えば、通信統合システム１００は、Ｗ−ＬＡＮ２１との間で仮通信路を確立する（ステップＳ１０１）。そして、通信統合システム１００は、Ｗ−ＬＡＮ２１に対して接続要求（リクエスト）を発行する（ステップＳ１０２）。
【００６７】
Ｗ−ＬＡＮ２１は、通信統合システム１００からの接続要求（リクエスト）を受け、通信統合システム１００に対して接続認証を応答（Ａｃｋ）する（ステップＳ１０３）。
【００６８】
Ｗ−ＬＡＮ２１から接続認証の応答（Ａｃｋ）を受信した通信統合システム１００は、ネットワーク通信制御部１１１（図３参照）が接続判断を行い、接続判断結果が可であれば（ステップＳ１０４）、通信経路を確立する（ステップＳ１０５）。なお、この接続判断結果が不可（不適当）の場合は、通信統合システム１００は、次の通信機器（通信手段）ｉに対して通信経路確立の手順を実行する。
【００６９】
通信統合システム１００により通信経路が接続されたＷ−ＬＡＮ２１は、ルータ１３及びネットワーク１２を経由して共通サーバ１１との間で接続が開始される（ステップＳ１０５）。ここで、通信統合システム１００は、接続判断（ステップＳ１０４）時に、接続認証を返したＷ−ＬＡＮ２１がネットワーク１２に接続できるように無線ネットワーク通信部１６０のＷ−ＬＡＮ制御部１６１（図２参照）に指示している。これにより、Ｗ−ＬＡＮ２１は、共通サーバ１１との間で接続が確立する。
【００７０】
同様に、通信統合システム１００は、Bluetooth２２との間で仮通信路を確立する（ステップＳ１０６）。そして、通信統合システム１００は、Bluetooth２２に対して接続要求（リクエスト）を発行する（ステップＳ１０７）。
【００７１】
Bluetooth２２は、通信統合システム１００からの接続要求（リクエスト）を受け、通信統合システム１００に対して接続認証を応答（Ａｃｋ）する（ステップＳ１０８）。
【００７２】
Bluetooth２２から接続認証の応答（Ａｃｋ）を受信した通信統合システム１００は、ネットワーク通信制御部１１１（図３参照）が接続判断を行い、接続判断結果が可であれば（ステップＳ１０９）、通信経路を確立する（ステップＳ１１０）。
【００７３】
通信統合システム１００により通信経路が接続されたBluetooth２２は、ルータ１３及びネットワーク１２を経由して共通サーバ１１との間で接続が開始される（ステップＳ１１０）。
【００７４】
同様に、通信統合システム１００は、ZigBee２３との間で仮通信路を確立する（ステップＳ１１１）。そして、通信統合システム１００は、ZigBee２３に対して接続要求（リクエスト）を発行する（ステップＳ１１２）。
【００７５】
ZigBee２３は、通信統合システム１００からの接続要求（リクエスト）を受け、通信統合システム１００に対して接続認証を応答（Ａｃｋ）する（ステップＳ１１３）。
【００７６】
ZigBee２３から接続認証の応答（Ａｃｋ）を受信した通信統合システム１００は、ネットワーク通信制御部１１１（図３参照）が接続判断を行い、接続判断結果が可であれば（ステップＳ１１４）、通信経路を確立する（ステップＳ１１５）。
【００７７】
通信統合システム１００により通信経路が接続されたZigBee２３は、ルータ１３及びネットワーク１２を経由して共通サーバ１１との間で接続が開始される（ステップＳ１１５）。
【００７８】
同様に、通信統合システム１００は、ＮＦＣ２４との間で仮通信路を確立する（ステップＳ１１６）。そして、通信統合システム１００は、ＮＦＣ２４に対して接続要求（リクエスト）を発行する（ステップＳ１１７）。
【００７９】
ＮＦＣ２４は、通信統合システム１００からの接続要求（リクエスト）を受け、通信統合システム１００に対して接続認証を応答（Ａｃｋ）する（ステップＳ１１８）。
【００８０】
ＮＦＣ２４から接続認証の応答（Ａｃｋ）を受信した通信統合システム１００は、ネットワーク通信制御部１１１（図３参照）が接続判断を行い、接続判断結果が可であれば（ステップＳ１１９）、通信経路を確立する（ステップＳ１２０）。
【００８１】
通信統合システム１００により通信経路が接続されたＮＦＣ２４は、ルータ１３及びネットワーク１２を経由して共通サーバ１１との間で接続が開始される（ステップＳ１２０）。
【００８２】
同様に、図６に示すように、通信統合システム１００は、ＰＬＣ２６との間で仮通信路を確立する（ステップＳ１２１）。そして、通信統合システム１００は、ＰＬＣ２６に対して接続要求（リクエスト）を発行する（ステップＳ１２２）。
【００８３】
ＰＬＣ２６は、通信統合システム１００からの接続要求（リクエスト）を受け、通信統合システム１００に対して接続認証を応答（Ａｃｋ）する（ステップＳ１２３）。
【００８４】
ＰＬＣ２６から接続認証の応答（Ａｃｋ）を受信した通信統合システム１００は、ネットワーク通信制御部１１１（図３参照）が接続判断を行い、接続判断結果が可であれば（ステップＳ１２４）、通信経路を確立する（ステップＳ１２５）。
【００８５】
通信統合システム１００により通信経路が接続されたＰＬＣ２６は、ルータ１３及びネットワーク１２を経由して共通サーバ１１との間で接続が開始される（ステップＳ１２５）。
【００８６】
同様に、通信統合システム１００は、ＬＡＮ２７との間で仮通信路を確立する（ステップＳ１２６）。そして、通信統合システム１００は、ＬＡＮ２７に対して接続要求（リクエスト）を発行する（ステップＳ１２７）。
【００８７】
ＬＡＮ２７は、通信統合システム１００からの接続要求（リクエスト）を受け、通信統合システム１００に対して接続認証を応答（Ａｃｋ）する（ステップＳ１２８）。
【００８８】
ＬＡＮ２７から接続認証の応答（Ａｃｋ）を受信した通信統合システム１００は、ネットワーク通信制御部１１１（図３参照）が接続判断を行い、接続判断結果が可であれば（ステップＳ１２９）、通信経路を確立する（ステップＳ１３０）。
【００８９】
通信統合システム１００により通信経路が接続されたＬＡＮ２７は、ルータ１３及びネットワーク１２を経由して共通サーバ１１との間で接続が開始される（ステップＳ１３０）。
【００９０】
以上は、通信統合システム１００と任意の通信機器との間で通信経路が確立続できる場合の例である。次に、図７及び図８を参照して、通信統合システム１００と、ある通信機器との間では通信経路が確立できない場合の例について説明する。
【００９１】
［次の通信機器との間で通信経路を確立する場合］
図７及び図８は、通信統合システム１００が次の通信機器との間で通信経路を確立する場合の例である。
【００９２】
＜通信統合システムと無線通信機器＞
図７に示すように、まず、通信統合システム１００は、Ｗ−ＬＡＮ２１との間で仮通信路を確立する（ステップＳ２０１）。そして、通信統合システム１００は、Ｗ−ＬＡＮ２１に対して接続要求（リクエスト）を発行する（ステップＳ２０２）。
【００９３】
しかしながら、Ｗ−ＬＡＮ２１は、通信統合システム１００からの接続要求（リクエスト）に対して応答を返さない。通信統合システム１００のネットワーク通信制御部１１１（図３参照）は、Ｗ−ＬＡＮ２１に対して接続要求（リクエスト）を発行と同時にタイマ（１回目のタイマ：タイマ１）を起動している（ステップＳ２０３）。タイマ（タイマ＃１）がタイムアウト時間を計時すると、ネットワーク通信制御部１１１（図３参照）は、Ｗ−ＬＡＮ２１による通信接続を断念して仮通信路を切断し（ステップＳ２０４）、次の通信機器（通信手段）ｉに対して通信経路確立の手順を実行する。ここでは、Ｗ−ＬＡＮ２１の次の通信機器（通信手段）ｉは、Bluetooth２２である。
【００９４】
次に、通信統合システム１００は、Bluetooth２２との間で仮通信路を確立する（ステップＳ２０５）。そして、通信統合システム１００は、Bluetooth２２に対して接続要求（リクエスト）を発行する（ステップＳ２０６）。
【００９５】
しかしながら、Bluetooth２２は、通信統合システム１００からの接続要求（リクエスト）に対して応答を返さない。通信統合システム１００のネットワーク通信制御部１１１（図３参照）は、Bluetooth２２に対して接続要求（リクエスト）を発行と同時にタイマ（２回目のタイマ：タイマ２）を起動している（ステップＳ２０７）。なお、タイマ２とタイマ１は、同一計時時間でも異なる計時時間のいずれでもよい。タイマ（タイマ＃２）がタイムアウト時間を計時すると、ネットワーク通信制御部１１１（図３参照）は、Bluetooth２２による通信接続を断念して仮通信路を切断し（ステップＳ２０８）、次の通信機器（通信手段）ｉに対して通信経路確立の手順を実行する。ここでは、Bluetooth２２の次の通信機器（通信手段）ｉは、ZigBee２３である。
【００９６】
次に、通信統合システム１００は、ZigBee２３との間で仮通信路を確立する（ステップＳ２０９）。そして、通信統合システム１００は、ZigBee２３に対して接続要求（リクエスト）を発行する（ステップＳ２１０）。
【００９７】
しかしながら、ZigBee２３は、通信統合システム１００からの接続要求（リクエスト）に対して応答を返さない。通信統合システム１００のネットワーク通信制御部１１１（図３参照）は、ZigBee２３に対して接続要求（リクエスト）を発行と同時にタイマ（３回目のタイマ：タイマ３）を起動している（ステップＳ２１１）。なお、タイマ３とタイマ１，２は、同一計時時間でも異なる計時時間のいずれでもよい。タイマ（タイマ＃３）がタイムアウト時間を計時すると、ネットワーク通信制御部１１１（図３参照）は、ZigBee２３による通信接続を断念して仮通信路を切断し（ステップＳ２１２）、次の通信機器（通信手段）ｉに対して通信経路確立の手順を実行する。ここでは、ZigBee２３の次の通信機器（通信手段）ｉは、ＮＦＣ２４である。
【００９８】
次に、通信統合システム１００は、ＮＦＣ２４との間で仮通信路を確立する（ステップＳ２１３）。そして、通信統合システム１００は、ＮＦＣ２４に対して接続要求（リクエスト）を発行する（ステップＳ２１４）。
【００９９】
しかしながら、ＮＦＣ２４は、通信統合システム１００からの接続要求（リクエスト）に対して応答を返さない。通信統合システム１００のネットワーク通信制御部１１１（図３参照）は、ＮＦＣ２４に対して接続要求（リクエスト）を発行と同時にタイマ（４回目のタイマ：タイマ４）を起動している（ステップＳ２１５）。なお、タイマ４とタイマ１〜３は、同一計時時間でも異なる計時時間のいずれでもよい。タイマ（タイマ＃４）がタイムアウト時間を計時すると、ネットワーク通信制御部１１１（図３参照）は、ＮＦＣ２４による通信接続を断念して仮通信路を切断し（ステップＳ２１６）、次の通信機器（通信手段）ｉに対して通信経路確立の手順を実行する。ここでは、ＮＦＣ２４の次の通信機器（通信手段）ｉは、電子機器２５である。
【０１００】
次に、通信統合システム１００は、電子機器２５との間で仮通信路を確立する（ステップＳ２１７）。そして、通信統合システム１００は、電子機器２５に対して接続要求（リクエスト）を発行する（ステップＳ２１８）。
【０１０１】
電子機器２５は、通信統合システム１００からの接続要求（リクエスト）を受け、通信統合システム１００に対して接続認証を応答（Ａｃｋ）する（ステップＳ２１９）。
【０１０２】
電子機器２５から接続認証の応答（Ａｃｋ）を受信した通信統合システム１００は、ネットワーク通信制御部１１１（図３参照）が接続判断を行い、接続判断結果が可であれば（ステップＳ２２０）、通信経路を確立する（ステップＳ２２１）。
【０１０３】
通信統合システム１００により通信経路が接続された電子機器２５は、通信統合システム１００との間で無線通信による接続が開始される（ステップＳ２２１）。
【０１０４】
＜通信統合システムと有線通信機器＞
図８に示すように、まず、通信統合システム１００は、ＰＬＣ２６との間で仮通信路を確立する（ステップＳ２２２）。そして、通信統合システム１００は、ＰＬＣ２６に対して接続要求（リクエスト）を発行する（ステップＳ２２３）。
【０１０５】
しかしながら、ＰＬＣ２６は、通信統合システム１００からの接続要求（リクエスト）に対して応答を返さない。通信統合システム１００のネットワーク通信制御部１１１（図３参照）は、ＰＬＣ２６に対して接続要求（リクエスト）を発行と同時にタイマ（５回目のタイマ：タイマ５）を起動している（ステップＳ２２４）。タイマ（タイマ＃５）がタイムアウト時間を計時すると、ネットワーク通信制御部１１１（図３参照）は、ＰＬＣ２６による通信接続を断念して仮通信路を切断し（ステップＳ２２５）、次の通信機器（通信手段）ｉに対して通信経路確立の手順を実行する。ここでは、ＰＬＣ２６の次の通信機器（通信手段）ｉは、ＬＡＮ２７である。
【０１０６】
次に、通信統合システム１００は、ＬＡＮ２７との間で仮通信路を確立する（ステップＳ２２６）。そして、通信統合システム１００は、ＬＡＮ２７に対して接続要求（リクエスト）を発行する（ステップＳ２２７）。
【０１０７】
しかしながら、ＬＡＮ２７は、通信統合システム１００からの接続要求（リクエスト）に対して応答を返さない。通信統合システム１００のネットワーク通信制御部１１１（図３参照）は、ＬＡＮ２７に対して接続要求（リクエスト）を発行と同時にタイマ（６回目のタイマ：タイマ６）を起動している（ステップＳ２２８）。なお、タイマ６とタイマ１〜５は、同一計時時間でも異なる計時時間のいずれでもよい。タイマ（タイマ＃６）がタイムアウト時間を計時すると、ネットワーク通信制御部１１１（図３参照）は、ＬＡＮ２７による通信接続を断念して仮通信路を切断し（ステップＳ２２９）、次の通信機器（通信手段）ｉに対して通信経路確立の手順を実行する。ここでは、ＬＡＮ２７の次の通信機器（通信手段）ｉは、電子機器２５である。
【０１０８】
次に、通信統合システム１００は、電子機器２５との間で仮通信路を確立する（ステップＳ２３０）。そして、通信統合システム１００は、電子機器２５に対して接続要求（リクエスト）を発行する（ステップＳ２３１）。
【０１０９】
電子機器２５は、通信統合システム１００からの接続要求（リクエスト）を受け、通信統合システム１００に対して接続認証を応答（Ａｃｋ）する（ステップＳ２３２）。
【０１１０】
電子機器２５から接続認証の応答（Ａｃｋ）を受信した通信統合システム１００は、ネットワーク通信制御部１１１（図３参照）が接続判断を行い、接続判断結果が可であれば（ステップＳ２３３）、通信経路を確立する（ステップＳ２３４）。
【０１１１】
通信統合システム１００により通信経路が接続された電子機器２５は、通信統合システム１００との間で有線通信による接続が開始される（ステップＳ２３４）。
【０１１２】
以上説明したように、本実施形態の通信統合システム１００は、ネットワーク通信制御部１１１と、接続種別入出力部１１２と、接続制御部１１３と、通信種別特定部１１４と、結果出力部１１５と、を備える。ネットワーク通信制御部１１１は、接続対象の第１の通信機器に対して第１の通信方式によって仮通信路を確立して接続要求をリクエストし、この通信機器から所定時間内に応答がない場合、仮通信路を切断するとともに、次の順番の接続対象の第２の通信機器に対して第２の通信方式によって仮通信路を確立して接続要求をリクエストし、この通信機器から所定時間内に応答がない場合、仮通信路を切断する制御を繰り返し実行する。また、ネットワーク通信制御部１１１は、接続対象の通信機器から接続要求リクエストの応答を受信した場合、当該通信機器との間、及び当該通信機器とネットワーク１２通信経路を確立する。
【０１１３】
この構成により、通信相手の通信方式を確認することなく、単に接続するだけで通信を開始することがきる。例えば、通信相手が、Ｗ−ＬＡＮで通信するのか、Bluetoothで通信するのかを確認する必要がなく、単に接続するだけで、通信相手の通信方式を認識し、そのための設定が自動的に行われて通信が開始される。その結果、ユーザは通信相手の通信方式を気にする必要がなく、ＵＳＢコネクタを本体に差し込むだけで初期設定が簡単に確立され接続できる。ユーザから見ると、あたかも異なる通信手段を一つに束ねたかのような使用感を得ることができる。
【０１１４】
このように、ユーザが機器の通信手段を意識する必要が無く、自動的に接続や設定をすることができる。また、機器を増減させた場合でも、既存のネットワークを再度構築し直す必要がないという利点がある。
【０１１５】
本発明は上記の実施形態に限定されるものではなく、特許請求の範囲に記載した本発明の要旨を逸脱しない限りにおいて、他の変形例、応用例を含む。
【０１１６】
また、上記した実施形態は本発明をわかりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【０１１７】
また、上記実施の形態では、通信統合システムという名称を用いたが、これは説明の便宜上であり、装置の名称は通信ネットワークシステム等であってもよい。
【０１１８】
以上説明した通信統合制御は、この通信統合制御を機能させるためのプログラムでも実現される。このプログラムはコンピュータで読み取り可能な記録媒体に格納されている。
【０１１９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の記録装置、又は、ＩＣ（Integrated Circuit）カード、ＳＤ（Secure Digital）カード、光ディスク等の記録媒体に保持することができる。また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【０１２０】
また、制御線や情報線は説明上必要と考えられるものを示しており、製品上必ずしもすべての制御線や情報線を示しているとは限らない。実際にはほとんど全ての構成が相互に接続されていると考えてもよい。
【符号の説明】
【０１２１】
１  通信システム
１１  共通サーバ
１２  ネットワーク
１３  ルータ
１４  通信路
２１  Ｗ−ＬＡＮ
２２  Bluetooth
２３  ZigBee
２４  ＮＦＣ
２５  電子機器
２６  ＰＬＣ
２７  ＬＡＮ
１００  通信統合システム
１０１  主制御部（main control）
１０２  無線ゲートウェイ部
１０３  有線ゲートウェイ部
１０４  機器ゲートウェイ部
１１０  ＣＰＵ
１１１  ネットワーク通信制御部
１１２  接続種別入出力部
１１３  接続制御部
１１４  通信種別特定部
１１５  結果出力部
１２０  ＲＯＭ
１３０  ＲＡＭ
１４０  記憶装置
１５０  データベース
１６０  無線ネットワーク通信部
１７０  有線ネットワーク通信部
１８０  電子機器制御部
【図１】
2015103996.tif 000003
【図２】
2015103996.tif 000004
【図３】
2015103996.tif 000005
【図４】
2015103996.tif 000006
【図５】
2015103996.tif 000007
【図６】
2015103996.tif 000008
【図７】
2015103996.tif 000009
【図８】
2015103996.tif 000010